(57)【要約】【課題】ハムノイズや高周波電流の入り込みを困難にして雑音の発生を効果的に抑制することができる狭指向性コンデンサマイクロホンの提供。【解決手段】前方音響端子１２と後方音響端子１３とを有するマイクロホンユニット１１と、該マイクロホンユニット１１をその内周面２６との間に空隙ｓを介在させて収納する音響管２１とを少なくとも有してなる狭指向性コンデンサマイクロホンにおいて、マイクロホンユニット１１は、音響管２１の基端部２４側に位置する部位の内径を拡径して形成される段差部２５に対し、空隙ｓ内に位置して前方音響端子１２側の周面部位を覆う導電性介装材３１とともに該前方音響端子１２側を支持させて音響管２１側に位置固定させた。【選択図】図３
2006081075.tif 000002
【特許請求の範囲】
【請求項１】
前方音響端子と後方音響端子とを有するマイクロホンユニットと、該マイクロホンユニットをその内周面との間に空隙を介在させて収納する音響管とを少なくとも有してなる狭指向性コンデンサマイクロホンにおいて、
前記マイクロホンユニットは、前記音響管の基端部側に位置する部位の内径を拡径して形成される段差部に対し、前記空隙内に位置して前記前方音響端子側の周面部位を覆う導電性介装材とともに該前方音響端子を支持させて音響管側に位置固定させたことを特徴とする狭指向性コンデンサマイクロホン。
【請求項２】
前記導電性介装材は、前記前方音響端子側と対面する底部方向に向けてその周壁部がやや縮径されるテーパーを付した有底筒状を呈する弾性金属材により形成された請求項１に記載の狭指向性コンデンサマイクロホン。
【請求項３】
マイクロホンユニットにおける前記後方音響端子側は、接着剤を介して前記空隙を含む音響管の前記内周面側の対応部位へと位置固定させた請求項１または請求項２に記載の狭指向性コンデンサマイクロホン。
【発明の詳細な説明】
【技術分野】
【０００１】
本発明は、ハムノイズや高周波電流の入り込みを困難にして雑音の発生を抑制することができるようにした狭指向性コンデンサマイクロホンに関する技術である。
【背景技術】
【０００２】
従来からある狭指向性コンデンサマイクロホンにおいては、前方音響端子と後方音響端子とを有する単一指向性マイクロホンを用い、前方音響端子に音響管の一端を嵌合させ、後方音響端子は自由音場に位置させることで、狭指向性が得られるようになっている。
【０００３】
しかし、このような従来例においては、前方音響端子の音波導入口が音響管の先端になり、低域における前方音響端子と後方音響端子との間の距離が長くなることから、外部の風雑音等を拾ったり、音源が近い場合には低音を歪ませる近接効果が高くなるなどの欠点があった。
【０００４】
このため、下記特許文献１に記載されているように、後方音響端子の近傍に位置する音響管に自由音場に通じる複数の後部音波導入口を設け、マイクロホンユニットの外周面と音響管の内周面との間に後方音響端子と前方音響端子とを連通させる空隙を設けて、上記欠点を解消させた狭指向性コンデンサマイクロホンを本願出願人は既に提案している。
【特許文献１】特許第２５６２２９５号公報
【０００５】
ところで、特許文献１に開示されている狭指向性コンデンサマイクロホンによる場合には、後方音響端子と前方音響端子とを連通させる空隙を設ける必要があることから、音響管とマイクロホンユニットとの間の電気的な接触状態が不完全で必要な静電シールド効果を確保することができないおそれがあった。
【０００６】
図５は、従来からあるマイクロホンユニットを内蔵させた音響管側の外観例についての側面図を、図６は、図５の縦断面図を、図７は、図５における円形囲繞部位の拡大図を、図８は、音響管とマイクロホンユニットとを相互に分離させた状態での説明図をそれぞれ示す。
【０００７】
これらの図によれば、適宜長さの略円筒形状を呈して音響抵抗孔１ａを有する音響管１の基端寄りの内周面２には、その内径よりもやや小径な外径を有する略円筒状のマイクロホンユニット５を、その前方音響端子６の周縁部を介して支持する段差部３が形成されており、該段差部３に支持させた状態のもとで音響管１の後部音波導入口８近傍の基端部４内にマイクロホンユニット５が内周面２との間に空隙ｓを介在させた状態のもとで収容されている。
【０００８】
しかも、音響管１内のマイクロホンユニット５は、図７からも明らかなように空隙ｓを塞ぐようにしてその後方音響端子７の周縁部と内周面２との間に供給された接着剤９を介して音響管１側に位置固定されている。
【発明の開示】
【発明が解決しようとする課題】
【０００９】
しかし、上記図示例における音響管１とマイクロホンユニット５とは、音響管１内の段差部３とマイクロホンユニット１の前方音響端子６の周縁部との間でかろうじて電気的な接続関係が確保されてシールド効果が得られるという極めて不安定な状態にあることから、ハムノイズや高周波電流が入り込んで雑音を発生させやすいといった不都合があった。
【００１０】
本発明は、従来技術の上記課題に鑑み、ハムノイズや高周波電流の入り込みを困難にして雑音の発生を効果的に抑制することができる狭指向性コンデンサマイクロホンを提供することに目的がある。
【課題を解決するための手段】
【００１１】
本発明は、上記目的を達成すべくなされたものであり、前方音響端子と後方音響端子とを有するマイクロホンユニットと、該マイクロホンユニットをその内周面との間に空隙を介在させて収納する音響管とを少なくとも有してなる狭指向性コンデンサマイクロホンにおいて、前記マイクロホンユニットは、前記音響管の基端部側に位置する部位の内径を拡径して形成される段差部に対し、前記空隙内に位置して前記前方音響端子側の周面部位を覆う導電性介装材とともに該前方音響端子を支持させて音響管側に位置固定させたことを最も主要な特徴とする。
【００１２】
本発明における前記導電性介装材は、前記前方音響端子側と対面する底部方向に向けてその周壁部がやや縮径されるテーパーを付した有底筒状を呈する弾性金属材により形成するのが好ましい。また、マイクロホンユニットにおける前記後方音響端子側は、接着剤を介して前記空隙を含む音響管の前記内周面側の対応部位へと位置固定させておくこともできる。
【発明の効果】
【００１３】
本発明のうち、請求項１に係る発明によれば、マイクロホンユニットは、空隙を埋める導電性介装材ともども前方音響端子側を音響管内の段差部に支持させて確実に位置固定することができるので、ハムノイズや高周波電流の入り込みを抑止して雑音の少ない安定した品質・性能を発揮させることができる。
【００１４】
また、請求項２に係る発明によれば、有底筒状の弾性金属材からなる導電性介装材を音響管内の空隙の対応部位を埋めるようにして容易に配置することができるので、マイクロホンユニットと音響管とをより確実に電気的に接続された状態のもとで位置固定することができる。
【００１５】
さらに、請求項３に係る発明によれば、接着剤を介して音響管側にマイクロホンユニットにおける前記後方音響端子側を確実に位置固定させてやることができる。
【発明を実施するための最良の形態】
【００１６】
図１は、本発明における音響管側の外観例についての側面図を、図２は、図１の縦断面図を、図３は、図２における円形囲繞部位の拡大図を、図４は、音響管とマイクロホンユニットと導電性介装材とを相互に分離させた状態での説明図をそれぞれ示す。
【００１７】
これらの図によれば、本発明に係る狭指向性コンデンサマイクロホンは、図４に示されているように単一指向性のマイクロホンユニット１１と、該マイクロホンユニット１１をその内周面２６との間に空隙ｓを介在させて収納する音響管２１と、空隙を介して両者間に配設される導電性介装材３１とで形成されている。
【００１８】
このうち、マイクロホンユニット１は、その一側面には前方音響端子１２が、他側面には後方音響端子１３がそれぞれ設けられており、その全体を細径な略円柱状を呈するアルミニウム等の導電性金属材からなるケース内に納めたコンデンサ型として形成されている。
【００１９】
また、略円筒形状を呈する音響管２１は、マイクロホンユニット１１との関係で定まる適宜の長さと口径とを有するアルミニウム管材等の導電性の金属管材を用いて形成されており、その先端部２２寄りの周面には、図示しない音響抵抗材が貼り付けられた複数個の音響抵抗孔２３が配設されている。なお、図中の符号２９は、図示しないグリップ側と螺合連結させるための雌ねじ部を示す。
【００２０】
また、音響管２１の基端部２４側は、先端部２２を含む他の部位の内径よりもその内径をやや大径とすることでその境界に形成される段差部２５を備えて形成されている。この場合、音響管２１の基端部２４側の内径は、マイクロホンユニット１１の外径よりもやや大径に形成されるものであり、該マイクロホンユニット１１を収納した際にその外周面１４と音響管２１の内周面２６との間に適宜寸法の空隙ｓを確保することができるようになっている。
【００２１】
このため、マイクロホンユニット１１は、音響管２１の内周面２６に形成された段差部２５に対しその前方音響端子１２側が支持された状態で基端部２４内に収納されることになる。しかも、音響管２１の基端部２４側には、マイクロホンユニット１１を収納した際にその後方音響端子１３が位置する部位の近傍に後部音波導入口２７が穿設されており、これにも図示しない音響抵抗材が貼り付けられている。
【００２２】
一方、導電性介装材３１は、マイクロホンユニット１１における前方音響端子１２側の周面部位（後方音響端子１３側を除く）を覆うことができる形状、例えば図示例のように前方音響端子１２側と対面する底部３２方向に向けてその周壁部３３がやや縮径されるテーパーが付された有底筒状を呈する弾性金属材により形成されている。この場合における弾性金属材としては、導電性と復元性とに富む例えばステンレス線材や真鍮線材などを好適に用いることができ、これを金網状に編んだメッシュ構造とすることで導電性介装材３１を形成することができる。なお、導電性介装材３１は、マイクロホンユニット１１における前方音響端子１２を含む周面部位を形状復元性を伴って覆うことができる略椀状に形成されているものであればよく、上記メッシュ構造以外にも例えばエンボス構造を付与するなどして形成することもできる。
【００２３】
上記構成からなるマイクロホンユニット１１と音響管２１と導電性介装材３１とは、次のようにして組み立てられる。すなわち、図４に示されているように導電性介装材３１の開口３４側には、マイクロホンユニット１１における前方音響端子１２側を対面させ、該前方音響端子１２を導電性介装材３１の底部３２との当接位置にまで送り込む。
【００２４】
このようにしてマイクロホンユニット１１と導電性介装材３１とを組み合わせた後、導電性介装材３１の底部３２を音響管２１の基端開口２８に向けて基端部２４内にマイクロホンユニット１１ともども送り込む。
【００２５】
この場合、音響管２１の基端部２４が位置している内径は、マイクロホンユニット１１の外径よりやや大径に形成されているために両者間に空隙ｓが確保されるようになっている。
【００２６】
該空隙ｓは、マイクロホンユニット１１を覆う導電性介装材３１の対応部位である周壁部３３のための収容スペースとして利用することができるので、導電性介装材３１をマイクロホンユニット１１ともども円滑にその基端部２４内へと送り込むことができる。
【００２７】
この際、マイクロホンユニット１１を覆う導電性介装材３１は、その底部３２を介して音響管２１の基端部２４内の段差部２５に前方音響端子１２側とともに安定的に当接支持されることになる。
【００２８】
また、導電性介装材３１における周壁部３３側は、空隙ｓ内に圧入されるようにして配置される結果、マイクロホンユニット１１も音響管２１の基端部２４内に安定的に位置固定させることができることになる。なお、マイクロホンユニット１１における後方音響端子１３側は、空隙ｓを含む音響管２１の内周面２６側の対応部位へと図示しないゴム系接着剤などの適の宜接着剤を介して位置固定することで、より安定的に取り付けることもできる。
【００２９】
このため、マイクロホンユニット１１は、周壁部３３が空隙ｓを埋めるように密に配置される導電性介装材３１とともに、前方音響端子１２側を音響管１１内の段差部２５に支持させることで音響管１１側に確実に位置固定させることができることになる。
【００３０】
しかも、有底筒状の弾性金属材からなる導電性介装材３１は、マイクロホンユニット１１ともども単に押し込むだけで、その周壁部３３を音響管１１内の空隙ｓの対応部位に埋め込むようにして容易に配置することができる。
【００３１】
したがって、本発明に係る狭指向性コンデンサマイクロホンにおいては、マイクロホンユニット１１と音響管２１とをより確実、かつ、安定した状態のもとで電気的に接続させることができるので、ハムノイズや高周波電流の入り込みを効果的に阻止して雑音の少ない安定した品質・性能を発揮させることができる。
【００３２】
以上は、本発明を図示例に基づいて説明したものであり、その具体的な構成はこれに限定されるものではない。例えば、導電性介装材３１は、段差部２５に当接して支持される部位を除く底部３２を切欠部として形成してもよい。また、導電性介装材３１は、必要により２分割するなど、複数の部分に分割して形成することもできる。さらに、導電性介装材３１における周壁部３３は、図示例よりもその長さを短くしたり、マイクロホンユニット１１における後方音響端子１３側にまで到達する長さを付与して形成することができる。
【図面の簡単な説明】
【００３３】
【図１】本発明における音響管側の外観を例示する側面図。
【図２】図１の縦断面図。
【図３】図２における円形囲繞部位の拡大詳細図。
【図４】音響管とマイクロホンユニットと導電性介装材とを相互に分離させた状態で示す説明図。
【図５】従来例における音響管側の外観を示す側面図。
【図６】図５の縦断面図。
【図７】図６における円形囲繞部位の拡大詳細図。
【図８】音響管とマイクロホンユニットとを相互に分離させた状態で示す説明図。
【符号の説明】
【００３４】
１１  マイクロホンユニット
１２  前方音響端子
１３  後方音響端子
１４  外周面
２１  音響管
２２  先端端
２３  音響抵抗孔
２４  基端部
２５  段差部
２６  内周面
２７  後部音波導入口
２８  基端開口
２９  雌ねじ部
３１  導電性介装材
３２  底部
３３  周壁部
３４  開口
ｓ  空隙
【図１】
2006081075.tif 000003
【図２】
2006081075.tif 000004
【図３】
2006081075.tif 000005
【図４】
2006081075.tif 000006
【図５】
2006081075.tif 000007
【図６】
2006081075.tif 000008
【図７】
2006081075.tif 000009
【図８】
2006081075.tif 000010